(57)【要約】【課題】端子台に取付けるセンサーを仮固定するようにして接着剤が固化しなくとも、センサーが動かないようにして組み立てる構成の端子装置を提供する。【解決手段】コネクタに連通した複数の金属端子を備えると共に、本体の温度を検出するセンサー手段を備えた端子台であって、センサー手段は、一対のリード線を有するセンサーを挿入して取付けるセンサー穴と、このセンサー穴の開口側の延長上に設けた折返し溝と、この折返し溝の垂直方向であって折返し溝の溝方向を開口とした凹部を有する仕切り凹部とを有し、センサー穴にセンサーを挿入し、一対のリード線の途中位置を折返し溝に係合させて鈍角に折り曲げ、この鈍角に折り曲げた位置から自由端側をリード線のバネ性に抗するように仕切り凹部の凹部に係合させて形成したことである。【選択図】      図１
2004158223.tif 000002
【特許請求の範囲】
【請求項１】
コネクタに連通した複数の金属端子を備えると共に、本体の温度を検出するセンサー手段を備えた端子台であって、
前記センサー手段は、一対のリード線を有するセンサーを挿入して取付けるセンサー穴と、該センサー穴の開口側の延長上に設けた折返し溝と、該折返し溝の垂直方向であって該折返し溝の溝方向を開口とした凹部を有する仕切り凹部とを有し、
前記センサー穴にセンサーを挿入し、一対のリード線の途中位置を前記折返し溝に係合させて鈍角に折り曲げ、該鈍角に折り曲げた位置から自由端側をリード線のバネ性に抗するように前記仕切り凹部の凹部に係合させて形成したことを特徴とする端子装置。
【請求項２】
前記センサー穴には、センサーを接着固定する接着剤を充填してなる請求項１に記載の端子装置。
【請求項３】
前記折返し溝は、前記一対のリード線のそれぞれを別離に係合する溝からなる請求項１に記載の端子装置。
【請求項４】
前記仕切り凹部は、前記一対のリード線のそれぞれを別離に係合する凹部を備えたことを特徴とする請求項１に記載の端子装置。
【請求項５】
センサーを挿入するセンサー穴の延長上に一対のリード線を折り曲げる折返し溝を設け、
該折返し溝にリード線を係合させて鈍角に折り曲げ、
該折り曲げたリード線を前記折返し溝と垂直方向の位置に設け、溝側を開口とした仕切り凹部にリード線のバネ性を維持させて係合させて形成したこと
を特徴とするセンサー固定方法。
【請求項６】
前記センサー穴には、センサーを接着固定する接着剤を充填してなる請求項５に記載のセンサー固定方法。
【請求項７】
前記折返し溝は、前記一対のリード線のそれぞれを別離に係合する溝からなる請求項５に記載のセンサー固定方法。
【請求項８】
前記仕切り凹部は、前記一対のリード線のそれぞれを別離に係合する凹部からなる請求項５に記載のセンサー固定方法。
【発明の詳細な説明】
【０００１】
【発明の属する技術分野】
本発明は、端子装置及びセンサー固定方法に関するものであり、詳しくは、温度等を測るセンサー部品を端子台に固定する際に、接着剤が固化しない前から安定した位置決めが施されるセンサー位置決め手法を有する端子装置及びセンサー固定方法に関するものである。
【０００２】
【従来の技術】
従来技術において、温度調節モジュールなどが熱電対の温度を測定するためには、温度調節モジュールにセンサー（サーミスタ）を付けて、端子台の温度を測定する必要がある。
この温度調節モジュールは、図６及び図７に示すように、端子台１１１の金属端子１１４を挿入してハンダ付けするための複数の端子ランド１１３及びセンサー１１７の一対のリード線１１８を挿入してハンダ付けするセンサーランド１１５を設けた基板１１２と、複数の金属端子１１４を備え、一部にセンサー１１７を取付けるためのセンサー穴１１６を設けた端子台１１１とからなる。
【０００３】
このような構造のモジュールにおいて、端子台１１１の温度を測定するためのセンサー（サーミスタ）１１７は、端子台１１１に開けたセンサー穴１１６にセンサー１１７を挿入して、熱伝導性の良い接着剤１１８で固定する。センサー１１７のリード線１１８は手などでガイドしながら、所定長さの位置で下部方向のセンサーランド１１５側に折り曲げてセンサー１１７のリード線１１８の端部をセンサーランド１１に入れてハンダ付けする。又、端子台１１１の金属端子１１４を端子ランド１１３に入れてハンダ付けする。
そして、センサー１１７と端子台１１１の温度に温度差を与えないために、センサー１１７は熱伝導性の良い接着剤１１８で固定する。
【０００４】
【特許文献１】
特開平６−３４７３３８号公報  （第３頁  第１図）
【特許文献２】
特開２００１−１２４６３５号公報  （第３頁  第１図）
【０００５】
【発明が解決しようとする課題】
しかしながら、従来技術で説明した端子台において、センサーは接着剤が固まらないと、端子台に開けたセンサー穴に完全に固定されない。接着剤が固まらないうちにセンサーのリード線を手などで持って動かすと、センサーがセンサー穴の奥まで入らずに固定されたり、センサー穴から外れる場合がある。
上記の不具合を防ぐため、接着剤が固まるまで、センサーのリード線のハンダ付け作業を数時間待たなければならない。これは組み立て作業の中断や、センサー部分の組立て時間の増加につながるという問題がある。
【０００６】
又は、接着剤が固まるまでの間、センサーをテープ等で仮止めする必要がある。しかし、テープ等による仮止め作業は組立て性の阻害になるという問題もある。
【０００７】
更に、センサーの一対のリード線が細い場合は、組立て中や組立て後にリード線同士が接触したり、絡まったりする可能性があるため、リード線に絶縁チューブを挿入して組み立てる。これは絶縁チューブによるコストアップや組立て時間の増加につながるという問題がある。
【０００８】
従って、端子台の穴にセンサーを入れて接着する場合、センサーが位置ずれしないような端子台又はホルダーを作り、センサーの組立て時間の削減及びセンサーの仮止め作業や絶縁チューブの挿入等を削減し、組立て性を向上させることに解決しなければならない課題を有する。
【０００９】
【課題を解決するための手段】
上記課題を解決するために、本発明に係る端子装置及びセンサー固定方法は、次に示す構成にすることである。
【００１０】
（１）端子装置は、コネクタに連通した複数の金属端子を備えると共に、本体の温度を検出するセンサー手段を備えた端子台であって、前記センサー手段は、一対のリード線を有するセンサーを挿入して取付けるセンサー穴と、該センサー穴の開口側の延長上に設けた折返し溝と、該折返し溝の垂直方向であって該折返し溝の溝方向を開口とした凹部を有する仕切り凹部とを有し、前記センサー穴にセンサーを挿入し、一対のリード線の途中位置を前記折返し溝に係合させて鈍角に折り曲げ、該鈍角に折り曲げた位置から自由端側をリード線のバネ性に抗するように前記仕切り凹部の凹部に係合させて形成したことである。
（２）前記センサー穴には、センサーを接着固定する接着剤を充填してなる（１）に記載の端子装置。
（３）前記折返し溝は、前記一対のリード線のそれぞれを別離に係合する溝からなる（１）に記載の端子装置。
（４）前記仕切り凹部は、前記一対のリード線のそれぞれを別離に係合する凹部を備えたことを特徴とする（１）に記載の端子装置。
【００１１】
（５）センサー固定方法は、センサーを挿入するセンサー穴の延長上に一対のリード線を折り曲げる折返し溝を設け、該折返し溝にリード線を係合させて鈍角に折り曲げ、該折り曲げたリード線を前記折返し溝と垂直方向の位置に設け、溝側を開口とした仕切り凹部にリード線のバネ性を維持させて係合させて形成したことである。
（６）前記センサー穴には、センサーを接着固定する接着剤を充填してなる（５）に記載のセンサー固定方法。
（７）前記折返し溝は、前記一対のリード線のそれぞれを別離に係合する溝からなる（５）に記載のセンサー固定方法。
（８）前記仕切り凹部は、前記一対のリード線のそれぞれを別離に係合する凹部からなる（５）に記載のセンサー固定方法。
【００１２】
このように、センサーのリード線を鈍角に折り曲げ、その折り曲げた位置を支点にして先端側をバネ性を持たせて支持するようにしたことにより、センサー穴に挿入したセンサーの位置がずれなくなるため、センサーを固定する接着剤が固化しないうちから組み立て作業が行えるようになり、センサーの組立て時間を削減できるばかりでなく、センサーの仮止め作業や絶縁チューブの挿入等が削減できるため、組立て性を向上させることが可能になる。
【００１３】
【発明の実施の形態】
次に、本発明に係る端子装置及びセンサー固定方法の実施形態について、図面を参照して説明する。
【００１４】
本願発明のセンサー固定方法を具現化することができる端子装置は、図１及び図２に示すように、コネクタ２６に連通した複数の金属端子１７を備えると共に、本体の温度を検出するセンサー手段を備えた端子台１１と、センサー３２の一対のリード線３３ａ、３３ｂをバネ性を持たせて支持するホルダー２１と、端子台１１を取付ける基板４１とからなる。
【００１５】
端子台１１は、直方体に形成された側壁面には隙間を持たせて下方向に折り曲げて形成した整列状態の複数の金属端子１７と、金属端子１７を備えた側壁面の端部にセンサー３２を取付けるセンサー穴１５と、このセンサー穴１５の近傍位置にホルダー２１を係合係止する爪からなる爪部１２と、下端部にホルダー２１を係止するホルダー係合部１３と、センサー穴１５の開口側の下部位置から水平方向の延長上に２個の溝からなる折返し溝１４を有するリード線上部ガイド部１６とを備えた構成になっている。折返し溝１４は、溝の縁をテーパ状にして、それぞれの溝にそれぞれのリード線３３ａ、３３ｂが係合し易い構造になっている。
【００１６】
ホルダー２１は、腕を曲げた状態の上端部に、端子台１１の爪部１２に係合係止する切欠きを有する上部係合部２２と、下端部に端子部１１のホルダー係合部１３に係合する弾性力を有する爪を備えた下部係合部２５と、下部係合部２５の反対側にリード線３３ａ、３３ｂのそれぞれを仕切る２個の凹部からなる仕切り凹部２３を有するリード線下部ガイド部２４とを備えた構成になっている。この仕切り凹部２３の２個の凹部には、折り曲げたリード線３３ａ、３３ｂのそれぞれを分離して付勢力を持って支持する構造となっている。
【００１７】
基板４１は、端子台１１に備えてある整列状態の金属端子１７を挿入してハンダ付けするための端子ランド４２、実施例において、千鳥状に２列の端子ランドを備え、且つセンサー３２のリード線３３ａ、３３ｂを挿入してハンダ付けするためのセンサーランド４３ａ、４３ｂを備えた構成になっている。
【００１８】
このような構成からなる端子台１１にホルダー２１を組み立てるには、端子台１１の爪部１２にホルダー２１の上部係合部２２を係合させ、同時に端子台１１のホルダー係合部１３に下部係合部２５の爪を係合させることにより組み立てる。
そうすると、図２に示すように、端子台１１に設けたセンサー穴１５の開口側の延長上に設けた折返し溝１４に対して、ホルダー２１の仕切り凹部２３は折返し溝１４の垂直（下）方向であって折返し溝１４の溝方向に凹部が開口とする位置関係になる。
【００１９】
このような構成からなる端子台１１及びホルダー２１に対して、センサー３２を取付けるためには、図２及び図３に示すように、先ず、センサー穴１５にセンサー３２を挿入し、一対のリード線３３ａ（、３３ｂ）の途中位置を折返し溝１４に係合させて鈍角に折り曲げる。そして、図４及び図５に示すように、この鈍角に折り曲げた位置から自由端側をリード線３３ａ（、３３ｂ）のバネ性に抗するように仕切り凹部２３の凹部に係合させて完成する。
【００２０】
このようにしてバネ性を持たせて形成されたセンサー３２においては、センサー３２自体が、センサー穴１５の中で、折返し溝１４に係合しているリード線３３ａ（、３３ｂ）の折り曲げ位置を支点として、センサー３２をセンサー穴１５の中で、常時一方方向、実施例において上方向（Ｑ方向）に押した状態にし、リード線３３ａ（、３３ｂ）を外方向の仕切り凹部２３の凹部方向（Ｐ方向）に常時押した状態で維持することができる。そのため、センサー穴１５の中のセンサー３２は位置決めされた状態で仮止めされた状態となる。一方、バネ性を持って支持されているリード線３３ａ（、３３ｂ）は、センサー３２と反対方向の先端側が仕切り凹部２３に当接された状態で位置決めされているから、そのハンダ付けする部位、即ち、センサーランド４３ａ（４３ｂ）に入り込む先端側は仮止めされた状態に固定されているから、基板４１のセンサーランド４３ａ（、４３ｂ）に挿入させるとき（Ｒ方向）にも安定した状態で挿入させてハンダ付けすることができる。
【００２１】
このように、センサー３２自体を仮止めの状態に維持し、リード線３３ａ（、３３ｂ）の先端側も仮止めの状態で維持することで、センサー穴１５に充填する接着剤５１が固化されていない状態でも、センサー３２の位置を確保した状態で端子台１１を基板４１に取付けることができるのである。
【００２２】
【発明の効果】
上記説明したように、本発明に係る端子台は、センサーのリード線のバネ性を利用して、端子台のセンサー穴からセンサーが動かないようにしたことにより、接着剤が固まる間、作業を待つ必要がなくなり、組立て時間を縮小することができる。
又、接着剤が固まるまでの間、センサーをテープ等で仮止めする必要がなくなり、組立て性を向上させることができる。
更に、端子台に付けたリードの溝とホルダの仕切りにより、センサーのリード線が細くとも、リード線同士が接触したり絡んだりしなくなり、これにより、組立て性が向上する。また、絶縁チューブを細いリード線に挿入して組立てるよりも組立て性が向上し，組立て時間を短縮できるという効果がある。
【図面の簡単な説明】
【図１】本発明に係る端子装置の構成を略示的に示した構成図である。
【図２】同、端子台にホルダーを組み立てた構成図である。
【図３】同、センサー穴のセンサーの状態を示した略示的な断面図である。
【図４】同、端子台にセンサーを組み込んだときの様子を示した構成図である。
【図５】同、センサーとリード線との関係を示した略示的な断面図である。
【図６】従来技術における端子台を示す略示的な構成図である。
【図７】図７に示すセンサー穴にセンサーを取付けた様子を示す略示的な断面図である。
【符号の説明】
１１      端子台
１２      爪部
１３      ホルダー係合部
１４      折返し溝
１５      センサー穴
１６      リード線上部ガイド部
２１      ホルダー
２２      上部係合部
２３      仕切り凹部
２４      リード線下部ガイド部
２５      下部係合部
３２      センサー
３３ａ    リード線
３３ｂ    リード線
４１      基板
４２      端子ランド
４３ａ    センサーランド
４３ｂ    センサーランド
【図１】
2004158223.tif 000003
【図２】
2004158223.tif 000004
【図３】
2004158223.tif 000005
【図４】
2004158223.tif 000006
【図５】
2004158223.tif 000007
【図６】
2004158223.tif 000008
【図７】
2004158223.tif 000009